(57)【特許請求の範囲】
【請求項１】
弓形に反ったグリップ状の外形をなし、
この弓形に反ったグリップ状の背部の長手方向に形成された第１の溝部（２）と、前記背部の両端部付近に前記第１の溝部（２）と直行する方向に形成された第２の溝部（３）とを有し、
前記第１の溝部（２）と第２の溝部（３）は開口部付近で緩やかに外部に開口するようなＵ字状に形成され、かつ一部がくびれたような形状であり、第１の溝部（２）の両端部（２ａ）付近ではホルダー下部に向かって回り込むように形成され、第２の溝部（３）は、ホルダーの中心に向かって斜上方向に開口しており、
弾性部材または樹脂材料により、その一部または全部が形成され、
前記第１の溝部（２）もしくは第２の溝部（３）に買物袋の手提げ部分を保持ないし係止する買い物袋ホルダー。
【発明の詳細な説明】
【０００１】
【発明の属する技術分野】
本発明は、スーパーやコンビニエンスストアーなどで商品を購入した際に、その購入した商品をビニール袋やポリ袋などに収容し、携帯するときに使用する買い物袋ホルダーに関する。
【０００２】
【従来の技術】
スーパーマーケットなどで商品を購入する場合、通常ポリエチレンの袋やビニール袋などに商品を入れ、これを携帯して家に持ち帰る。その際、商品が入ったポリエチレン製等の袋（以下ポリ袋と称する。）の細い手提げ部を手に持つか腕に引っかけて携帯するようにしている。
【０００３】
しかしながら、従来のポリ袋は、大量の商品を購入したり、重たい商品を購入した場合でも、細い手提げ部を手に持つか腕に引っかけて持ち歩くしかなく、その細い手提げ部が手や腕に食い込み、手や腕が痛くて長く持ち歩くことが大変苦痛であった。
【０００４】
また、重い荷物を手に提げた場合、かなりの握力と持久力とを要し、力の弱い女性やお年寄りには辛い作業である。一方、これを腕に引っ掛けるとすると、ポリ袋が落ちないように腕を曲げることになるが、これまた腕力を要するとと共に、ポリ袋を重心から離れた位置に保持することになり、体に無理な姿勢を強要することとなり、歩行も楽ではない。
【０００５】
【発明が解決しようとする課題】
本発明の目的は、大量の商品や、重たい商品を収納した際に、ポリ袋の細い手提げ部が手や腕に食い込むのを防止し、しかも無理な姿勢をとらずに容易に搬送できる買い物袋ホルダーを提供することである。
【０００６】
【課題を解決するための手段】
上記目的は、以下の本発明の構成により達成される。
（１）  弓形に反ったグリップ状の外形をなし、
この弓形に反ったグリップ状の背部の長手方向に形成された第１の溝部と、前記背部の両端部付近に前記第１の溝部と直行する方向に形成された第２の溝部とを有し、
前記第１の溝部もしくは第２の溝部に買物袋の手提げ部分を保持ないし係止する買い物袋ホルダー。
【０００７】
【作用】
本発明の買い物袋ホルダーは、腕に通したり、手に握ったりするのに楽な弓形に反ったグリップ状の外形をなし、この弓形に反ったグリップ状の背部の長手方向に形成された第１の溝部と、前記背部の両端部付近に前記第１の溝部と直行する方向に形成された第２の溝部とを有し、前記第１の溝部もしくは第２の溝部に買物袋の手提げ部分を保持ないし係止するものである。このため、直接買物袋の手提げ部分を腕や手に持つ必要がなくなり、買い物袋の細い手提げ部が手や腕に食い込むのを防止することができる。また、好ましくはその材質の一部、または全部をゴム、ウレタン、発泡性プラスチック等の弾性部材により構成したり、装着することにより、大量の荷物や、重たい荷物を搬送する際にも容易に持ち運べることになる。
【０００８】
また、グリップ状の背部の長手方向に形成された第１の溝部と、前記背部の両端部付近に前記第１の溝部と直行する方向に形成された第２の溝部とを有するので、搬送状態によりいずれかの溝部に買い物袋を保持することができ、最適な位置で保持できるので、搬送者への負担が軽くなる。
【０００９】
【発明の実施の形態】
以下、本発明の買い物袋ホルダーについて図を参照しつつ説明する。図１は本発明の買い物袋ホルダーの１例を示した正面図、図２は平面図、図３は側面図である。図において、買い物袋ホルダー１は、弓形に反ったグリップ状の外形をなし、この弓形に反ったグリップ状の背部の長手方向に形成された第１の溝部と、前記背部の両端部付近に前記第１の溝部と直行する方向に形成された第２の溝部とを有し、前記第１の溝部もしくは第２の溝部に買物袋の手提げ部分を保持ないし係止するものである。
【００１０】
ホルダー１の外形は、弓形に反ったグリップ状の外形をなし、好ましくは手の形状に沿うように形成されている。その大きさは手に持ったり、腕に通したりするのに丁度良い大きさに設定される。具体的には、平均的な成人男女の手の大きさに対応するような大きさであればよく、長さ約９０〜１３０mm程度、幅２０〜４０mm程度である。
【００１１】
このように、大きさも小さく、嵩張らないため、バック、ポケットなどにも容易に収納でき、携行も楽である。このため、毎日の買い物に持ち歩くのにも負担が極めて少ない。
【００１２】
ホルダー１の材質としては、必要とされる強度を有するものであれば特に限定されるものではなく、鉄、ステンレススチール、銅合金等の金属材料、塩化ビニール、アクリル、ＳＢＳ等の樹脂材料等を用いることが可能である。
【００１３】
しかしながら、持ち易さや、手や腕を保護するために、発泡性ゴム、ウレタン等の弾性部材や、塩化ビニール、アクリル、ＳＢＳ等の樹脂材料により形成したり、一部にこれらの材料を設けてもよい。
【００１４】
さらに、その形状も、持ちやすいように弓形に反ったグリップ状の外形であれば、手の形の沿ったような形状としたり、滑りにくいような凹凸や加工を施してもよい。
【００１５】
溝部２，３は、買い物袋の一対の手提げ部分を引っ掛けたり、止めたりすることができる形状を有していればその形状は特に限定されるものではない。第１の溝部は弓形に反ったグリップ状の背部１ａ、すなわちホルダーを持ったときに上方に開口するように長手方向に形成されている。この第１の溝部２は、買い物袋の手提げ部分を引っかけやすいように、開口部付近で緩やかに外部に開口するようなＵ字状に形成され、かつ好ましくは容易に外れないように、Ｕ字部分のＩ部の一部がくびれたような形状となっているとよい。また、その両端部２ａ付近ではホルダー下部に向かって回り込むように形成され、やはりその一部がくびれるように形成しれているとよい。このように形成することにより、買い物袋を置いて買い物袋ホルダーを離したときでも、買い物袋ホルダーが買い物袋から外れることがない。
【００１６】
第２の溝部は、第１の溝部と直行するように、ホルダーの端部付近に形成され、かつ中心に向かって斜上方向に開口している。このため、手提げ部分が外れ難く、デザイン的にも全体が統一されるようになる。この第１の溝部２は、買い物袋の手提げ部分を引っかけやすいように、開口部付近で緩やかに外部に開口するようなＵ字状に形成され、かつ好ましくは容易に外れないように、Ｕ字部分のＩ部の一部がくびれたような形状となっているとよい。
【００１７】
溝部２，３は、上記のような形状に限定されるものではなく、買い物袋の手提げ部分を引っ掛けたり、止めたりすることができる形状であればよいが、Ｕ字状が好ましい。
【００１８】
溝部２，３の幅としては特に限定されるものではないが、幅の広い部分で３〜１５mm程度、幅の狭い部分で２〜８mm程度である。
【００１９】
このように、第１の溝部２と第２の溝部３を有することにより、ホルダー１に対して買い物袋の手提げ部４を９０°異なった位置に係止させることができる。すなわち、図４、５に示すように、第１の溝部２に買い物袋の手提げ部４を装着してもよいし、図６に示すように、第２の溝部３に買い物袋の手提げ部４を装着してもよい。
【００２０】
また、ホルダー１は、図４に示すような状態で手に握ってもよいし、図５，６に示すように、腕に引っ掛けてもよい。なお、この例において、第１の溝部と第２の溝部は必ずしも９０°異なっている必要はなく、９０±１０°程度の範囲内にあればよい。
【００２１】
溝部２，３により、搬送者に係止する買い物の手提げ部４の角度を９０°変化させることができる。すなわち、搬送者に対する買い物の角度を変えることで、より買い物袋を保持しやすい状態とすることができ、搬送者の負担を軽減することができる。具体的には、搬送者に対する買い物袋の角度を９０°変化させることにより、買い物袋１０は、図７（ａ）または（ｂ）に示されるような状態に保持される。このとき買い物袋の手提げ部には、搬送者の腕が通されているとすると、買い物袋１０は、搬送者の正面から見て図７（ａ）または（ｂ）のいずれかの状態で保持されることとなる。
【００２２】
通常、買い物袋を腕に引っ掛けて運ぶ場合、買い物袋は横幅方向に広がるため、図７（ａ）に示すように、より体側から離した位置になるように腕を曲げて保持することとなり、腕や体の軸心に無理な力が掛かり、搬送者に多大な負担を強いることとなる。一方、これを９０°回転して保持した場合、買い物袋の横幅方向の広がりは小さく、図７（ｂ）に示すように、より搬送者に近い位置で保持することができ、搬送者への負担を大幅に低減することができる。
【００２３】
【発明の効果】
以上のように本発明によれば、大量の商品や、重たい商品を収納した際に、ポリ袋の細い手提げ部が手や腕に食い込むのを防止し、しかも無理な姿勢をとらずに容易に搬送でき、携行も容易な買い物袋ホルダーを提供することができる。
【図面の簡単な説明】
【図１】本発明の買い物袋ホルダーの構成例を示した正面図である。
【図２】本発明の買い物袋ホルダーの構成例を示した平面図である。
【図３】本発明の買い物袋ホルダーの構成例を示した側面図である。
【図４】第１の溝部に買い物袋の手提げ部を装着した状態を示す概略斜視図である。
【図５】第１の溝部に買い物袋の手提げ部を装着した状態を示す図である。
【図６】第２の溝部に買い物袋の手提げ部を装着した状態を示す図である。
【図７】搬送者が買い物袋ホルダーを用いて買い物袋を保持した状態を示した図であって、（ａ）は搬送用係止部２に対して買い物袋保持部３を鉛直方向にして保持した状態を示した図、（ｂ）は平行方向にして保持した状態を示した図である。
【符号の説明】
１    買い物袋ホルダー
２    第１の溝部
３    第２の溝部
４    手提げ部
【図１】
0003656048.tif 000002
【図２】
0003656048.tif 000003
【図３】
0003656048.tif 000004
【図４】
0003656048.tif 000005
【図５】
0003656048.tif 000006
【図６】
0003656048.tif 000007
【図７】
0003656048.tif 000008